(57)【要約】  シグナリングサイズが最適化可能であり、ＤＣＩ／ＳＡ設計はシンプルおよび一般的であることが可能であり、ＤＣＩ／ＳＡサイズは増加せず、仕様変更は非常に小さいことが可能であるワイヤレス通信の装置を提供する。ワイヤレス通信の装置は、第１のノードにおいて、制御チャネルおよび／またはユーザ共有チャネルを第２のノードへと送信するように動作可能な送信器と、サブフレームスケジューリングモードに従い、ユーザ共有チャネルの送信のための制御シグナリングにおける、時間および／または周波数位置の指示に関して異なる解釈を行うように動作可能な、コントローラと、を備える。【選択図】  図６
2019533351.tif 000002
【特許請求の範囲】
【請求項１】
第１のノードにおいて、
制御チャネルおよび／またはユーザ共有チャネルを第２のノードへと送信するように動作可能な、送信器と、
サブフレームスケジューリングモードに従い、前記ユーザ共有チャネルの送信のための制御シグナリングにおける、時間および／または周波数位置の指示に関して異なる解釈を行うように動作可能な、コントローラと、
を備える、装置。
【請求項２】
前記制御チャネルは、物理ダウンリンク制御チャネル（ＰＤＣＣＨ）、拡張物理ダウンリンク制御チャネル（ＥＰＤＣＣＨ）、および／または物理サイドリンク制御チャネル（ＰＳＣＣＨ）を含み、
前記ユーザ共有チャネルは、物理ダウンリンク共有チャネル（ＰＤＳＣＨ）および／または物理サイドリンク共有チャネル（ＰＳＳＣＨ）を含み、
前記制御シグナリングは、ダウンリンク制御情報（ＤＣＩ）および／またはサイドリンク制御情報（ＳＣＩ）を含む、
請求項１に記載の装置。
【請求項３】
基地局ベースの送信モードの場合、前記第１のノードがｅノードＢ（ｅＮＢ）もしくは任意の他の基地局であり、前記第２のノードがユーザ機器（ＵＥ）であり、または前記第１のノードが送信器ＵＥであり、前記第２のノードが受信器ＵＥであり、
前記コントローラは、
前記サブフレームスケジューリングモードが、前記制御チャネルおよび前記ユーザ共有チャネルの同じサブフレームスケジューリングを示す場合、前記時間および／または周波数位置の指示を前記ユーザ共有チャネルのための時間および／または周波数位置の指示として解釈することによって、前記送信器に、前記制御シグナリングにおける前記ユーザ共有チャネルの送信のための前記時間および／または周波数位置の指示を前記第２のノードへと送信させるように動作可能であり、
前記サブフレームスケジューリングモードが、前記制御チャネルおよび前記ユーザ共有チャネルの異なるサブフレームスケジューリングを示す場合、前記時間および／または周波数位置の指示を前記制御チャネルのための時間および／または周波数位置の指示として解釈することによって、前記送信器に、前記制御シグナリングにおける前記ユーザ共有チャネルの送信のための前記時間および／または周波数位置の指示を前記第２のノードへと送信させるように動作可能である、
請求項１に記載の装置。
【請求項４】
ＵＥ自律送信モードの場合に、前記第１のノードは送信器ＵＥであり、前記第２のノードは受信器ＵＥであり、前記コントローラは、
前記サブフレームスケジューリングモードが、前記制御チャネルおよび前記ユーザ共有チャネルの同じサブフレームスケジューリングを示す場合、前記制御チャネルおよび前記ユーザ共有チャネルを含むサイドリンクチャネルの送信のために、制御シグナリングにおける前記時間および／または周波数位置の指示を、サイドリンクの前記ユーザ共有チャネルのための時間および／または周波数位置の指示として解釈するように動作可能であり、
前記サブフレームスケジューリングモードが、前記制御チャネルおよび前記ユーザ共有チャネルの異なるサブフレームスケジューリングを示す場合、前記制御チャネルおよび前記ユーザ共有チャネルを含むサイドリンクチャネルの送信のために、前記制御シグナリングにおける前記時間および／または周波数位置の指示を、サイドリンクの前記制御チャネルのための時間および／または周波数位置の指示として解釈するように動作可能である、
請求項１に記載の装置。
【請求項５】
前記制御チャネルおよび前記ユーザ共有チャネルの前記同じサブフレームスケジューリングモードは、前記ユーザ共有チャネルまたは前記制御チャネルのリソースプール構成に基づき、前記リソースプールは、サイドリンク送信に使用可能な時間／周波数リソースからなり、
前記制御チャネルおよび前記ユーザ共有チャネルの前記同じサブフレームスケジューリングモードは、前記制御チャネルおよび前記ユーザ共有チャネルの前記スケジューリングが、同じサブフレーム内でスケジューリングされることを示し、
前記制御チャネルおよび前記ユーザ共有チャネルまたは制御チャネルの前記異なるサブフレームスケジューリングモードは、前記制御チャネルおよび前記ユーザ共有チャネルの前記スケジューリングが、同じサブフレーム内でスケジューリングされないことを示す、
請求項３または４に記載の装置。
【請求項６】
前記時間および／または周波数位置の指示は、
（６）トランスポートブロックまたは制御チャネルの初期送信のための開始タイミング、
（７）トランスポートブロックまたは制御チャネルの前記初期送信のための周波数開始位置、
（８）トランスポートブロックまたは制御チャネルの前記初期送信と再送信との間の時間ギャップ、
（９）トランスポートブロックまたは制御チャネルの前記初期送信と前記再送信との間の周波数オフセット、および、
（１０）トランスポートブロックの長さ、
のうちの少なくとも１つを含み、
前記第１のノードがｅノードＢ（ｅＮＢ）であり、前記第２のノードがユーザ機器（ＵＥ）である場合、ダウンリンク制御情報（ＤＣＩ）内で前記ｅＮＢによって送信される前記時間および／または周波数位置の指示は、（２）、（３）、（４）、および（５）を含み、
前記第１のノードが送信器ＵＥであり、前記第２のノードが受信器ＵＥである場合、サイドリンク制御情報（ＳＣＩ）内で前記送信器ＵＥによって送信される前記時間および／または周波数位置の指示は、（３）、（４）、および（５）を含む、
請求項１に記載の装置。
【請求項７】
前記コントローラは、サブフレームスケジューリングモードが、前記制御チャネルおよび前記ユーザ共有チャネルの異なるサブフレームスケジューリングを示す場合、
ダウンリンク制御情報（ＤＣＩ）／サイドリンク制御情報（ＳＣＩ）内の「初期送信と再送信との間の時間ギャップ」フィールドを、前記制御チャネルの初期送信と再送信との間の時間関係として解釈し、
ＤＣＩ／ＳＣＩ内の「初期送信および再送信の周波数リソースロケーション」フィールドを、前記制御チャネルの再送信の周波数リソースロケーションおよび前記ユーザ共有チャネルの長さとして解釈し、
ＤＣＩ内に「初期送信に割り振られたサブチャネルの最低インデックス」が存在する場合、ＤＣＩ内の前記「初期送信に割り振られたサブチャネルの最低インデックス」を、前記制御チャネルの初期送信の周波数開始位置として解釈するように、動作可能である、
請求項６に記載の装置。
【請求項８】
前記コントローラは、
サイドリンクの前記制御チャネルの送信と前記ユーザ共有チャネルの送信との間の固定された時間および／または周波数関係を定義するように、動作可能である、
請求項１に記載の装置。
【請求項９】
前記送信器は、
サイドリンクの前記ユーザ共有チャネルのための時間および／もしくは周波数位置の指示を前記第２のノードへと送信するように動作可能であり、それにより、サイドリンクの前記制御チャネルのための前記時間および／もしくは周波数位置の指示は、前記固定された時間および／もしくは周波数関係に基づいて前記第２のノードによって決定可能であるか、または、
サイドリンクの前記制御チャネルのための時間および／もしくは周波数位置の指示を前記第２のノードへと送信するように動作可能であり、それにより、サイドリンクの前記ユーザ共有チャネルのための前記時間および／もしくは周波数位置の指示は、前記固定された時間および／もしくは周波数関係に基づいて前記第２のノードによって決定可能である、
請求項７に記載の装置。
【請求項１０】
前記コントローラは、
前記サブフレームスケジューリングモードが、前記制御チャネルおよび前記ユーザ共有チャネルの前記同じサブフレームスケジューリングを示すとき、基地局ベースの送信モードである場合は、前記第１のノードによって受信されるＤＣＩを送信するダウンリンク制御チャネルと、前記ユーザ共有チャネルの初期送信のための開始タイミングとの間に、第１の固定されたタイミング関係が存在し、
前記第１の固定されたタイミング関係はしきい値Ｘより大きいかまたは等しい最小整数であり、
前記サブフレームスケジューリングモードが、前記制御チャネルおよび前記ユーザ共有チャネルの前記異なるサブフレームスケジューリングを示すとき、基地局ベースの送信モードである場合は、前記第２のノードによって受信されるＤＣＩを送信するダウンリンク制御チャネルのタイミングと、前記ユーザ共有チャネルの初期送信のための開始タイミングとの間の、第２の固定されたタイミング関係を定義するように動作可能であり、
前記第２の固定されたタイミング関係はしきい値Ｙより大きいかまたは等しい最小整数であって、ＹはＸより大きい、
請求項１に記載の装置。
【請求項１１】
前記コントローラは、
前記サブフレームスケジューリングモードが、前記制御チャネルおよび前記ユーザ共有チャネルの前記異なるサブフレームスケジューリングを示すとき、ＳＣＩの場合には、前記制御チャネルの前記送信のタイミングが選択または再選択決定のタイミングより早くならないことを保証するように動作可能である、
請求項１に記載の装置。
【請求項１２】
第１のノードにおいて、
送信器によって、制御チャネルおよび／またはユーザ共有チャネルを第２のノードへと送信すること、ならびに
コントローラによって、サブフレームスケジューリングモードに従い、前記ユーザ共有チャネルの送信のための制御シグナリングにおける時間および／または周波数位置の指示に関して異なる解釈を行うこと、
を含む、方法。
【請求項１３】
前記解釈を行うステップは、前記コントローラによって、
基地局ベースの送信モードの場合、前記第１のノードがｅノードＢ（ｅＮＢ）もしくは任意の他の基地局であり、前記第２のノードがユーザ機器（ＵＥ）であり、または前記第１のノードが送信器ＵＥであり、前記第２のノードが受信器ＵＥであることを、さらに含み、
前記解釈を行うステップは、前記コントローラによって、
前記サブフレームスケジューリングモードが、前記制御チャネルおよび前記ユーザ共有チャネルの同じサブフレームスケジューリングを示す場合、前記時間および／または周波数位置の指示を前記ユーザ共有チャネルのための時間および／または周波数位置の指示として解釈することによって、前記送信器に、前記制御シグナリングにおける前記ユーザ共有チャネルの送信のための前記時間および／または周波数位置の指示を前記第２のノードへと送信させること、ならびに、
前記サブフレームスケジューリングモードが、前記制御チャネルおよび前記ユーザ共有チャネルの異なるサブフレームスケジューリングを示す場合、前記時間および／または周波数位置の指示を前記制御チャネルのための時間および／または周波数位置の指示として解釈することによって、前記送信器に、前記制御シグナリングにおける前記ユーザ共有チャネルの送信のための前記時間および／または周波数位置の指示を前記第２のノードへと送信させること、
をさらに含む、請求項１２に記載の方法。
【請求項１４】
ＵＥ自律送信モードの場合、前記第１のノードは送信器ＵＥであり、前記第２のノードは受信器ＵＥであり、前記解釈を行うステップは、前記コントローラによって、
前記サブフレームスケジューリングモードが、前記制御チャネルおよび前記ユーザ共有チャネルの同じサブフレームスケジューリングを示す場合、前記制御チャネルおよび前記ユーザ共有チャネルを含むサイドリンクチャネルの送信のために、制御シグナリングにおける前記時間および／または周波数位置の指示を、サイドリンクの前記ユーザ共有チャネルのための時間および／または周波数位置の指示として解釈すること、ならびに
前記サブフレームスケジューリングモードが、前記制御チャネルおよび前記ユーザ共有チャネルの異なるサブフレームスケジューリングを示す場合、前記制御チャネルおよび前記ユーザ共有チャネルを含むサイドリンクチャネルの送信のために、前記制御シグナリングにおける前記時間および／または周波数位置の指示を、サイドリンクの前記制御チャネルのための時間および／または周波数位置の指示として解釈すること、
をさらに含む、請求項１２に記載の方法。
【請求項１５】
前記時間および／または周波数位置の指示は、
トランスポートブロックまたは制御チャネルの初期送信のための開始タイミング、
トランスポートブロックまたは制御チャネルの前記初期送信のための周波数開始位置、
トランスポートブロックまたは制御チャネルの前記初期送信と再送信との間の時間ギャップ、
トランスポートブロックまたは制御チャネルの前記初期送信と前記再送信との間の周波数オフセット、および、
トランスポートブロックの長さ、のうちの少なくとも１つを含み、
前記第１のノードがｅノードＢ（ｅＮＢ）であり、前記第２のノードがユーザ機器（ＵＥ）である場合、ダウンリンク制御情報（ＤＣＩ）内で前記ｅＮＢによって送信される前記時間および／または周波数位置の指示は、（２）、（３）、（４）、および（５）を含み、
前記第１のノードが送信器ＵＥであり、前記第２のノードが受信器ＵＥである場合、サイドリンク制御情報（ＳＣＩ）内で前記送信器ＵＥによって送信される前記時間および／または周波数位置の指示は、（３）、（４）、および（５）を含む、
請求項１２に記載の方法。
【請求項１６】
前記解釈を行うステップは、前記コントローラによって、
サイドリンクの前記制御チャネルの送信と前記ユーザ共有チャネルの送信との間の固定された時間および／または周波数関係を定義すること、
をさらに含む、請求項１２に記載の方法。
【請求項１７】
前記解釈を行うステップは、前記コントローラによって、
サイドリンクの前記ユーザ共有チャネルのための時間および／もしくは周波数位置の指示を前記第２のノードへと送信し、それにより、サイドリンクの前記制御チャネルのための前記時間および／もしくは周波数位置の指示が、前記固定された時間および／もしくは周波数関係に基づいて前記第２のノードによって決定可能となること、または、
サイドリンクの前記制御チャネルのための時間および／もしくは周波数位置の指示を前記第２のノードへと送信し、それにより、サイドリンクの前記ユーザ共有チャネルのための前記時間および／もしくは周波数位置の指示が、前記固定された時間および／もしくは周波数関係に基づいて前記第２のノードによって決定可能となること、
をさらに含む、請求項１６に記載の方法。
【請求項１８】
前記解釈を行うステップは、前記コントローラによって、
前記サブフレームスケジューリングモードが、前記制御チャネルおよび前記ユーザ共有チャネルの前記同じサブフレームスケジューリングを示すとき、基地局ベースの送信モードである場合は、前記第１のノードによって受信されるＤＣＩを送信するダウンリンク制御チャネルと、前記ユーザ共有チャネルの初期送信のための開始タイミングとの間に、第１の固定されたタイミング関係が存在し、
前記第１の固定されたタイミング関係はしきい値Ｘより大きいかまたは等しい最小整数であり、
前記サブフレームスケジューリングモードが、前記制御チャネルおよび前記ユーザ共有チャネルの前記異なるサブフレームスケジューリングを示すとき、基地局ベースの送信モードである場合は、前記第２のノードによって受信されるＤＣＩを送信するダウンリンク制御チャネルのタイミングと、前記ユーザ共有チャネルの初期送信のための開始タイミングとの間の、第２の固定されたタイミング関係を定義すること、
をさらに含み、
前記第２の固定されたタイミング関係はしきい値Ｙより大きいかまたは等しい最小整数であって、ＹはＸより大きい、
請求項１２に記載の方法。
【請求項１９】
前記解釈を行うステップは、前記コントローラによって、
前記サブフレームスケジューリングモードが、前記制御チャネルおよび前記ユーザ共有チャネルの前記異なるサブフレームスケジューリングを示すとき、ＳＣＩの場合には、前記制御チャネルの前記送信のタイミングが選択または再選択決定のタイミングより早くならないことを保証すること、
をさらに含む、請求項１２に記載の方法。
【請求項２０】
第１のノードにおいて、
１つまたは複数のプロセッサと、
前記１つまたは複数のプロセッサによって実行されたときに、請求項１２から１９のうちのいずれか一項に記載された方法を実行するためのコンピュータプログラムを記憶する、前記１つまたは複数のプロセッサと結合されたメモリと、
を備える、システム。
【発明の詳細な説明】
【技術分野】
【０００１】
本技術はワイヤレス通信分野に関し、より具体的には、ワイヤレス通信の方法、装置、およびシステムに関する。
【背景技術】
【０００２】
ワイヤレス通信分野において、ユーザ機器（ＵＥ：Ｕｓｅｒ  Ｅｑｕｉｐｍｅｎｔ）ユニットとしても知られているエンドユーザの無線またはワイヤレス端末は、無線アクセスネットワーク（ＲＡＮ）などのワイヤレスネットワークを介して、「ｅノードＢ」（ｅＮＢ）とも呼ばれる無線基地局（ＲＢＳ）と通信する。無線アクセスネットワーク（ＲＡＮ）は、セルエリアに分割される地理的エリアをカバーし、各セルエリアは無線基地局によってサービスされる。
【０００３】
Ｖ２Ｖ（車両対車両）規格の初期バージョンは３ＧＰＰ  ＲＡＮ１においてファイナライズされ、物理サイドリンク共有チャネル（ＰＳＳＣＨ）（データ）および物理サイドリンク制御チャネル（ＰＳＣＣＨ）（またはスケジューリング割り当て（ＳＡ））の同じサブフレームスケジューリングをサポートし、このサブフレームスケジューリングは、ＰＳＳＣＨおよびＰＳＣＣＨの近接および非近接送信を含む。ＰＳＳＣＨ（データ）およびＰＳＣＣＨ（またはＳＡ）の同じサブフレームスケジューリングとは、図１の左エリア内に示されるように、ＰＳＳＣＨ信号（データ）およびＰＳＣＣＨ（またはＳＡ）信号が１つの同じサブフレーム内で送信されることを意味する。図１は、同じ／異なるサブフレームスケジューリングに関する詳述を概略的に示す。
【発明の概要】
【発明が解決しようとする課題】
【０００４】
他方で、異なるサブフレームスケジューリングは、将来のＶ２Ｘ（車両対歩行者、車両対ネットワーク／インフラストラクチャ、および、車両対車両などの、車両対何か）調査／研究項目において、考察／決定され得る。ＰＳＳＣＨおよびＰＳＣＣＨ（またはＳＡ）の異なるサブフレームスケジューリングは、図１の右エリア内に示されるように、ＰＳＳＣＨ信号およびＰＳＣＣＨ（またはＳＡ）信号が同じサブフレーム内で送信されないことを意味する。
【課題を解決するための手段】
【０００５】
一態様において、第１のノードにおいて、制御チャネルおよび／またはユーザ共有チャネルを第２のノードへと送信するように動作可能な送信器と、サブフレームスケジューリングモードに従い、サイドリンクチャネルの送信のための制御シグナリングにおける、時間および／または周波数位置の指示に関して異なる解釈を行うように動作可能な、コントローラと、を備える、装置が提供される。
【０００６】
別の態様において、第１のノードにおいて、送信器によって、制御チャネルおよび／またはユーザ共有チャネルを第２のノードへと送信すること、ならびに、コントローラによって、サブフレームスケジューリングモードに従い、サイドリンクチャネルの送信のための制御シグナリングにおける、時間および／または周波数位置の指示に関して異なる解釈を行うことを含む、方法が提供される。
【０００７】
別の態様において、第１のノードにおいて、１つまたは複数のプロセッサと、１つまたは複数のプロセッサによって実行されたときに、前述の方法を実行するためのコンピュータプログラムを記憶する、１つまたは複数のプロセッサと結合されたメモリとを備える、システムが提供される。
【図面の簡単な説明】
【０００８】
【図１】同じ／異なるサブフレームスケジューリングに関する詳述の概略図である。
【図２】車両通信のためのシナリオの概略図である。
【図３】それぞれｅＮＢベース送信およびＵＥ自律送信による送信タイミングの、概略図である。
【図４Ａ】３ＧＰＰ  ＲＡＮ１ミーティング＃８６において合意されたサイドリンク制御情報（ＳＣＩ）コンテンツの概略図である。
【図４Ｂ】３ＧＰＰ  ＲＡＮ１ミーティング＃８６において合意されたダウンリンク制御情報（ＤＣＩ）コンテンツの概略図である。
【図５】Ｖ２Ｖにおける同じサブフレームスケジューリング（ＳＡおよびデータの近接送信）の概略図である。
【図６】本発明の実施形態に係る、第１のノードにおける装置の概略ブロック図である。
【図７】本発明の実施形態に係る、Ｖ２Ｖにおける異なるサブフレームスケジューリングの概略図である。
【図８】本発明の別の実施形態に係る、Ｖ２Ｖにおける異なるサブフレームスケジューリングの概略図である。
【図９】本発明の別の実施形態に係る、Ｖ２Ｖにおける異なるサブフレームスケジューリングの概略図である。
【図１０】本発明の実施形態に係る、第１のノードにおける方法を概略的に示すフローチャートである。
【図１１】本発明の実施形態に係る、第１のノードにおけるシステムの概略ブロック図である。
【発明を実施するための形態】
【０００９】
次に、図２から図１１を参照しながら、通信の方法、装置、およびシステムに関する実施形態を説明する。本技術は、多くの異なる形式および多くの異なる順序で具体化され得ること、および、本明細書に記載される実施形態に限定されるものと解釈されるべきではないことを、理解されよう。むしろこれらの実施形態は、本開示が徹底的かつ完全であり、本技術を当業者に十分に伝えるものとなるように、提供される。実際に、本技術は、これらの実施形態の代替、修正、および等価をカバーすることが意図され、添付の特許請求の範囲によって定義される技術の範囲および趣旨内に含まれる。さらに、本技術の下記の詳細な説明において、本技術を完全に理解するために多数の特定の細部が記載されている。しかしながら、当業者であれば、本技術がこうした特定の細部無しに実施され得ることが明らかとなろう。
【００１０】
本明細書において、方法のステップの順序およびコンポーネントの構成は例示の目的で提供されており、制限のためではない。前述の技術の詳細な説明は、例示および説明のために提示してきた。網羅的であること、または開示した精密な形に技術を限定することは意図されていない。上記の教示に照らして、多くの修正および変形形態が可能である。説明する実施形態は、技術の原理およびその実際の適用を最も良く説明し、それによって他の当業者が様々な実施形態において、および企図される特定の用途に適するように様々に修正して、技術を最も良く利用できるようにするために、選択された。技術の範囲は、本明細書に添付の特許請求の範囲によって定義されるものと意図される。
【００１１】
図２は、車両通信のためのシナリオを概略的に示す。
【００１２】
図２に示されるように、ｅＮＢは、ダウンリンクチャネルおよびアップリンクチャネルにおいてＵＥ（車両内のＵＥ＿Ｎ１およびＵＥ＿Ｎ２など）と通信し得る。また、ＵＥ＿Ｎ１およびＵＥ＿Ｎ２は、サイドリンクチャネルにおいて互いに通信可能である。車両内のＵＥ＿ＯＯＣ１、ＵＥ＿ＯＯＣ２およびＵＥ＿ＯＯＣ＿Ｇ１などのＵＥは、セルラネットワークのカバレージ外にあり、車両内のＵＥ＿ＯＯＣ＿Ｇ１は全地球ナビゲーション衛星システム（ＧＮＳＳ）と同期可能である。
【００１３】
Ｒｅｌ．１２／１３  Ｄ２Ｄ（デバイス対デバイス）と同様に、Ｖ２Ｖ（車両対車両）では２つのサイドリンク送信モードがサポートされている。
【００１４】
１つは、ｅＮＢベース送信モード（たとえば、サイドリンク送信モード３）である。ｅＮＢはサイドリンクリソースを選択し、ＤＣＩを送信してＰＳＣＣＨ（ＳＡ）／ＰＳＳＣＨ（データ）リソース情報を送信器ＵＥに示す必要があり、送信器ＵＥはそれに応じてＰＳＳＣＨ（データ）およびＰＳＣＣＨ（ＳＡ）をサイドリンクで送信することになる。たとえば、図２において、ネットワークカバレージ内にあるＵＥ＿Ｎ１およびＵＥ＿Ｎ２は、こうしたモードで動作可能である。こうしたｅＮＢベースモードにおけるタイミングは、図３の上部エリアに示されている。図３は、それぞれｅＮＢベース送信モードおよびＵＥ自律送信モードによる、送信タイミングを概略的に示す。
【００１５】
別のサイドリンク送信モードは、ｅＮＢがリソース選択に関与しないＵＥ自律モード（たとえば、モード４）である。すなわち、ＵＥは、ＰＳＣＣＨ（ＳＡ）およびＰＳＳＣＨ（データ）のリソース選択および送信を担当している。図２に示されるように、ＵＥ＿ＯＯＣ＿Ｇ１、ＵＥ＿ＯＯＣ１、およびＵＥ＿ＯＯＣ２はネットワークカバレージ外にあり、こうしたモードで動作可能である。こうしたＵＥ自律モードにおけるタイミングは、図３の下部エリアに示されている。
【００１６】
３ＧＰＰ  ＲＡＮ１＃８６ミーティングでのＶ２ＶのＳＣＩおよびＤＣＩに関する合意に基づいて、ＳＣＩまたはＤＣＩにおけるリソース割り振り上のすべてのフィールドは、たとえば、（図４Ａおよび図４Ｂを参照しながら具体的に説明するように）以下のようなＰＳＳＣＨ（データ）に関係付けられる。
−  初期の送信と再送信との間の時間ギャップ（ＳＣＩおよびＤＣＩで、Ｆ１と命名）
−  周波数リソースロケーション（ＳＣＩおよびＤＣＩで、Ｆ２と命名）
−  サブチャネル割り振りの最低インデックス（ＤＣＩのみで、Ｆ３と命名）
【００１７】
３ＧＰＰ  ＲＡＮ１＃８６での合意に基づいて、ＳＣＩ／ＤＣＩコンテンツが図４Ａおよび図４Ｂに具体的に示されている。図４Ａは、３ＧＰＰ  ＲＡＮ１＃８６ミーティングにおいて合意されたＳｉｄｅｌｉｎｋ  Ｃｏｎｔｒｏｌ  Ｉｎｆｏｒｍａｔｉｏｎ（ＳＣＩ）コンテンツを概略的に示す。図４Ｂは、３ＧＰＰ  ＲＡＮ１＃８６ミーティングにおいて合意されたＤｏｗｎｌｉｎｋ  Ｃｏｎｔｒｏｌ  Ｉｎｆｏｒｍａｔｉｏｎ（ＤＣＩ）コンテンツを概略的に示す。
【００１８】
図５は、Ｖ２Ｖにおける同じサブフレームスケジューリング（ＳＡおよびデータの近接送信）を概略的に示す。
【００１９】
こうした合意に基づいて、図５は、これらのフィールド（図５に示される、Ｆ１、Ｆ２、および／またはＦ３）がどのように解釈されるかに関する一例を示す。ここでは、ＰＳＣＣＨ（ＳＡ）とＰＳＳＣＨ（データ）との間の近接送信を想定しており、ＳＡの送信数は２（第１の送信および第２の送信、または初期送信および再送信）である。ＰＳＳＣＨ（データ）の開始時間は規格内に指定され、たとえば、ＤＣＩ受信時間がサブフレーム＃ｎと想定すると、サイドリンク送信モード３ではｎ＋４であり、これは、ＤＣＩ受信時間後、第４のサブフレームにおいてＰＳＳＣＨ（データ）の送信が開始されることを意味する。ＰＳＳＣＨ（データ）の開始周波数位置は、サイドリンク送信モード３の場合、ＤＣＩにおいてＦ３によって示される。ＰＳＳＣＨ（データ）の長さはＦ２によって決定される。ＰＳＳＣＨ（データ）の再送信／第２の送信の場合、タイミングはＦ１によって決定され、周波数位置はＦ２によって決定される。ＰＳＣＣＨ（ＳＡ）およびＰＳＳＣＨ（データ）の近接送信の場合、関連するＰＳＣＣＨ（ＳＡ）は、ＰＳＳＣＨ（データ）の開始周波数位置を示す、ＰＳＳＣＨ（データ）の最低インデックスを伴う物理リソースブロック（ＰＲＢ）に位置する。
【００２０】
ＰＳＣＣＨ（ＳＡ）およびＰＳＳＣＨ（データ）の非近接送信の場合、指示様式は近接送信とほぼ同じである。唯一の相違は、同じサブフレーム内のＰＳＣＣＨ（ＳＡ）とＰＳＳＣＨ（データ）との送信間に、周波数の固定オフセットが存在するという点である。
【００２１】
しかし、現行のＳＣＩ／ＤＣＩ設計は、同じサブフレームスケジューリングのみをサポートする。異なるサブフレームスケジューリングをどのようにサポートするかは不明瞭である。特に、ｅＮＢベース送信モードの場合、異なるサブフレームスケジューリングをサポートするためにＤＣＩをどのように設計するかは不明瞭である。異なるサブフレームスケジューリングについてＳＣＩ／ＤＣＩにおけるＰＳＣＣＨ（ＳＡ）の送信のタイミングおよび周波数位置をさらに指示するために、ＳＣＩ／ＤＣＩにおけるリソースに関する現行の指示がＰＳＳＣＨ（データ）のみに関することを考慮すると、ＤＣＩ／ＳＣＩサイズが大きくなり、同じサブフレームスケジューリングまたは異なるサブフレームスケジューリングそれぞれについて、２つの異なるＤＣＩ／ＳＣＩフォーマットを設計することが必要になり得、これによって規格がより複雑になる。したがって、そのサイズおよび複雑さを増加させないＤＣＩ／ＳＣＩをどのように設計するかが、異なるサブフレームスケジューリングの目標である。
【００２２】
図６は、本発明の実施形態に係る、第１のノードにおける装置６００のブロック図を概略的に示す。
【００２３】
図６に示されるように、第１のノードにおいて、装置は、制御チャネルおよび／またはユーザ共有チャネルを第２のノードへと送信するように動作可能な送信器と、サブフレームスケジューリングモードに従い、サイドリンクチャネルの送信のための制御シグナリングにおける時間および／または周波数位置の指示に関して、異なる解釈を行うように動作可能な、コントローラとを備える。
【００２４】
したがって、サブフレームスケジューリングモードに基づいて、サイドリンクチャネルの送信のための制御シグナリングにおける付加的な時間および／または周波数位置の指示を送信するために追加することなく、サイドリンクチャネルの送信のための制御シグナリングにおける時間および／または周波数位置の指示を、異なって解釈することが可能であり、したがって、サイドリンクのユーザ共有チャネルの送信のための制御シグナリングにおける時間および／または周波数位置の指示を、サブフレームスケジューリングモードに基づいて、サイドリンクの制御チャネルの送信のための制御シグナリングにおける時間および／または周波数位置の指示として、再使用できるようになる。シグナリングサイズは最適化可能である。
【００２５】
一実施形態において、制御チャネルは、物理ダウンリンク制御チャネル（ＰＤＣＣＨ）、拡張物理ダウンリンク制御チャネル（ＥＰＤＣＣＨ）、および／または物理サイドリンク制御チャネル（ＰＳＣＣＨ）を含み得、ユーザ共有チャネルは、物理ダウンリンク共有チャネル（ＰＤＳＣＨ）および／または物理サイドリンク共有チャネル（ＰＳＳＣＨ）を含み、制御シグナリングは、ダウンリンク制御情報（ＤＣＩ）および／またはサイドリンク制御情報（ＳＣＩ）を含む。
【００２６】
実際に、実施形態は基地局ベース送信モードの場合に使用可能であり、ここで、第１のノードはｅノードＢ（ｅＮＢ）もしくは任意の他の基地局であり、第２のノードはユーザ機器（ＵＥ）であり、または代替として、第１のノードは送信器ＵＥであり、第２のノードは受信器ＵＥである。この場合、ｅＮＢはサイドリンクのユーザ共有チャネルの送信のために、時間および／または周波数位置の指示を伴うＤＣＩをＵＥに送信することが可能であり、ＤＣＩを受信したＵＥは、ユーザ共有チャネルのためのこうした時間および／または周波数位置の指示を、制御チャネルのためのものであると解釈することが可能である。対応するＳＣＩシグナリングにおける時間および／または周波数位置の指示は、ユーザ共有チャネルのため、または制御チャネルのためとすることができる。ＳＣＩにおける時間／周波数指示のこうした解釈に関して２つのオプションがあり、どちらのオプションが使用されるかは、ｅＮＢによって指定、構成されること、ＵＥによってまたはサブフレームスケジューリングモード（異なるサブフレームスケジューリングまたは同じサブフレームスケジューリング）に基づいて、事前構成されることが可能である。
【００２７】
すなわち、基地局ベースのサイドリンク送信モードの場合、第１のノードがｅノードＢ（ｅＮＢ）もしくは任意の他の基地局であり、第２のノードがユーザ機器（ＵＥ）であり、または第１のノードが送信器ＵＥであり、第２のノードが受信器ＵＥであり、コントローラは、サブフレームスケジューリングモードが、制御チャネル（たとえば、ＰＳＣＣＨ）およびユーザ共有チャネル（たとえば、ＰＳＳＣＨ）の同じサブフレームスケジューリングを示す場合、時間および／または周波数位置の指示をユーザ共有チャネルのための時間および／または周波数位置の指示として解釈することによって、送信器に、制御シグナリングにおけるユーザ共有チャネルの送信のための時間および／または周波数位置の指示を第２のノードへと送信させるように動作可能であり、サブフレームスケジューリングモードが、制御チャネルおよびユーザ共有チャネルの異なるサブフレームスケジューリングを示す場合、時間および／または周波数位置の指示を制御チャネルのための時間および／または周波数位置の指示として解釈することによって、送信器に、制御シグナリングにおけるユーザ共有チャネルの送信のための時間および／または周波数位置の指示を第２のノードへと送信させるように動作可能である。
【００２８】
実際に、実施形態はＵＥ自律送信モードの場合に使用可能であり、ここで第１のノードは送信器ＵＥであり、第２のノードは受信器ＵＥである。ＵＥはｅＮＢからのＤＣＩを必要とせず、時間および／または周波数位置の指示が、制御チャネルのためであるかまたはユーザ共有チャネルのためであるかを、異なるスケジューリングモード、規格において事前に構成されるかまたは指定された基地局による構成に基づいて、理解することが可能である。この場合、コントローラは、サブフレームスケジューリングモードが、制御チャネルおよびユーザ共有チャネルの同じサブフレームスケジューリングを示す場合、制御チャネルおよびユーザ共有チャネルを含むサイドリンクチャネルの送信のために、制御シグナリングにおける時間および／または周波数位置の指示を、サイドリンクのユーザ共有チャネルのための時間および／または周波数位置の指示として解釈するように動作可能であり、サブフレームスケジューリングモードが、制御チャネルおよびユーザ共有チャネルの異なるサブフレームスケジューリングを示す場合、制御チャネルおよびユーザ共有チャネルを含むサイドリンクチャネルの送信のために、制御シグナリングにおける時間および／または周波数位置の指示を、サイドリンクの制御チャネルのための時間および／または周波数位置の指示として解釈するように動作可能である。
【００２９】
したがって、基地局ベース送信モードまたはＵＥ自律送信モードのいずれの場合でも、シグナリングサイズを最適化することができる。
【００３０】
一実施形態において、制御チャネルおよびユーザ共有チャネルの同じサブフレームスケジューリングモードは、ユーザ共有チャネルまたは制御チャネルのリソースプール構成に基づき、リソースプールは、サイドリンク送信に使用可能な時間／周波数リソースからなる。
【００３１】
制御チャネルおよびユーザ共有チャネルの同じサブフレームスケジューリングモードは、制御チャネルおよびユーザ共有チャネルのスケジューリングが、同じサブフレーム内でスケジューリングされることを示す。制御チャネルおよびユーザ共有チャネルまたは制御チャネルの異なるサブフレームスケジューリングモードは、制御チャネルおよびユーザ共有チャネルのスケジューリングが、同じサブフレーム内でスケジューリングされないことを示す。
【００３２】
一実施形態において、時間および／または周波数位置の指示は、以下のうちの少なくとも１つを含む。
（１）トランスポートブロックまたは制御チャネルの初期送信のための開始タイミング、
（２）トランスポートブロックまたは制御チャネルの初期送信のための周波数開始位置、
（３）トランスポートブロックまたは制御チャネルの初期送信と再送信との間の時間ギャップ、
（４）トランスポートブロックまたは制御チャネルの初期送信と再送信との間の周波数オフセット、および、
（５）トランスポートブロックの長さ。
【００３３】
第１のノードがｅノードＢ（ｅＮＢ）であり、第２のノードがユーザ機器（ＵＥ）である場合、ダウンリンク制御情報（ＤＣＩ）内でｅＮＢによって送信される時間および／または周波数位置の指示は、（２）、（３）、（４）、および（５）を含む。第１のノードが送信器ＵＥであり、第２のノードが受信器ＵＥである場合、サイドリンク制御情報（ＳＣＩ）内で送信器ＵＥによって送信される時間および／または周波数位置の指示は、（３）、（４）、および（５）を含む。
【００３４】
ＤＣＩ／ＳＣＩの場合、コントローラは、サブフレームスケジューリングモードが、制御チャネルおよびユーザ共有チャネルの異なるサブフレームスケジューリングを示す場合、
ダウンリンク制御情報（ＤＣＩ）／サイドリンク制御情報（ＳＣＩ）内の「初期送信と再送信との間の時間ギャップ」フィールド（または、Ｆ１と呼ばれる）を、制御チャネル（たとえば、ＰＳＣＣＨ）の初期送信と再送信との間の時間関係として解釈し、
ＤＣＩ／ＳＣＩ内の「初期送信および再送信の周波数リソースロケーション」フィールド（または、Ｆ２と呼ばれる）を、制御チャネル（たとえば、ＰＳＣＣＨ）の再送信の周波数リソースロケーションおよびユーザ共有チャネル（たとえば、ＰＳＳＣＨ）の長さとして解釈し、
ＤＣＩ内に「初期送信に割り振られたサブチャネルの最低インデックス」が存在する場合、ＤＣＩ内の「初期送信に割り振られたサブチャネルの最低インデックス」フィールド（または、Ｆ３と呼ばれる）を、制御チャネル（たとえば、ＰＳＣＣＨ）の初期送信の周波数開始位置として解釈するように、
動作可能である。
【００３５】
ＳＣＩが「初期送信に割り振られたサブチャネルの最低インデックス」フィールドを有さないことに留意されたい。
【００３６】
特に、時間／周波数位置に関する解釈をより明瞭にするために、こうしたＤＣＩ／ＳＣＩフォーマット（上記フィールドを伴う）および／またはサイズが、ＰＳＣＣＨ（ＳＡ）およびＰＳＳＣＨ（データ）の同じサブフレームスケジューリングおよび異なるサブフレームスケジューリングに対してどのように使用されるかに関する例を詳述する。すなわち、リソース割り振りフィールドの解釈は、スケジューリング様式（同じサブフレームスケジューリングまたは異なるサブフレームスケジューリング）に依存する。
【００３７】
ＰＳＣＣＨ（ＳＡ）およびＰＳＳＣＨ（データ）の同じサブフレームスケジューリングの場合、ＳＣＩ／ＤＣＩにおける時間／周波数リソースの指示は、上記の図５で示されるように、通常通りＰＳＳＣＨ（データ）に関連しており、詳細は省略する。
【００３８】
異なるサブフレームスケジューリングの場合、Ｖ２ＶのＳＣＩ／ＤＣＩにおける時間／周波数リソースの指示は、特にＰＳＳＣＨ（データ）の長さを除き、ＰＳＣＣＨ（ＳＡ）に関連している。
【００３９】
−  ＤＣＩ／ＳＣＩにおける「初期送信と再送信との間の時間ギャップ」フィールド（Ｆ１）は、ＰＳＣＣＨ（ＳＡ）の初期送信と再送信との間の時間関係として解釈される。
【００４０】
−  ＰＳＣＣＨ（ＳＡ）の初期送信は、たとえば、サブフレームｎ＋４またはｎ＋Ｘにおいて受信されるＤＣＩに基づく固定タイミングに基づいており、ここでＸは、ＤＣＩがサブフレームｎ内で受信されるものと想定すると、４よりも大きい最小整数である。
【００４１】
−  ＤＣＩ／ＳＣＩにおける「初期送信および再送信の周波数リソースロケーション」フィールドは、「ＰＳＣＣＨ（ＳＡ）の再送信の周波数リソースロケーション」および「ＰＳＳＣＨ（データ）の長さ」フィールド（Ｆ２）として解釈される（「初期送信および再送信の周波数リソースロケーション」フィールドおよび「ＰＳＳＣＨの長さ」フィールドは、共に符号化される）。
【００４２】
−  ＤＣＩにおける「初期送信に割り振られたサブチャネルの最低インデックス」フィールド（Ｆ３）は、ＰＳＣＣＨ（ＳＡ）の初期送信の周波数位置として解釈される。
【００４３】
要約すると、ＤＣＩおよびＳＣＩに関して下記の表１および表２を示す。
【表１】
2019533351.tif 000003
【表２】
2019533351.tif 000004
【００４４】
ここで、ＰＳＣＣＨ（ＳＡ）および関連付けられるＰＳＳＣＨ（データ）は、固定された時間／周波数関係（ワンバイワンマッピング）を有し、ＰＳＣＣＨ（ＳＡ）およびＰＳＳＣＨ（データ）の異なるサブフレームスケジューリングモードまたは同じサブフレームスケジューリングモードのいずれを構成するかは、リソースプール構成に依存する。
【００４５】
すなわち、本実施形態において、コントローラは、サイドリンクの制御チャネルの送信とユーザ共有チャネルの送信との間の固定された時間および／または周波数関係を定義するように、動作可能である（１対１マッピングとも呼ばれる）。
【００４６】
本実施形態において、送信器は、サイドリンクのユーザ共有チャネルのための時間および／もしくは周波数位置の指示を第２のノードへと送信するように動作可能であり、それにより、サイドリンクの制御チャネルのための時間および／もしくは周波数位置の指示は、固定された時間および／もしくは周波数関係に基づいて第２のノードによって決定可能であるか、または、サイドリンクの制御チャネルのための時間および／もしくは周波数位置の指示を第２のノードへと送信するように動作可能であり、それにより、サイドリンクのユーザ共有チャネルのための時間および／もしくは周波数位置の指示は、固定された時間および／もしくは周波数関係に基づいて第２のノードによって決定可能である。
【００４７】
この１対１マッピングによって、制御チャネルおよびユーザ共有チャネルのうちの一方の時間および／または周波数位置は、制御チャネルおよびユーザ共有チャネルのうちの他方のそれ、ならびに１対１マッピング関係から、決定可能である。
【００４８】
図７は、本発明の実施形態に係る、Ｖ２Ｖにおける異なるサブフレームスケジューリングを概略的に示す。
【００４９】
図７は、ＳＣＩ／ＤＣＩにおける時間／周波数リソースをどのように解釈するかを詳述する。ＰＳＣＣＨ（ＳＡ）の開始時間は規格内に指定され、たとえば、ＤＣＩ受信時間がサブフレーム＃ｎであると想定すると、モード３ではｎ＋４である。ＰＳＣＣＨ（ＳＡ）の開始周波数位置は、モード３の場合、ＤＣＩにおいてＦ３によって示される。ＰＳＳＣＨ（データ）の長さはＦ２によって決定される。ＰＳＣＣＨ（ＳＡ）の再送信の場合、タイミングはＦ１によって決定され、周波数位置はＦ２によって決定される。ＰＳＣＣＨ（ＳＡ）およびＰＳＳＣＨ（データ）は、固定された時間／周波数関係を有する。
【００５０】
上記ソリューションの利点はシンプルであり、一般的なＤＣＩ／ＳＡ設計およびＤＣＩ／ＳＡサイズは増加しない。
【００５１】
図８は、本発明の別の実施形態に係る、Ｖ２Ｖにおける異なるサブフレームスケジューリングを概略的に示す。
【００５２】
図８は、同じＤＣＩ／ＳＣＩフォーマットおよび／またはサイズが、ＰＳＣＣＨ（ＳＡ）およびＰＳＳＣＨ（データ）の同じサブフレームスケジューリングおよび異なるサブフレームスケジューリングに使用されるが、ＤＣＩとＰＳＳＣＨ（データ）との間のタイミングは、スケジューリング様式（同じサブフレームスケジューリングまたは異なるサブフレームスケジューリング）に依存する例を、詳述している。
【００５３】
ＰＳＣＣＨ（ＳＡ）およびＰＳＳＣＨ（データ）の同じサブフレームスケジューリングの場合、Ｖ２ＶのＳＣＩ／ＤＣＩにおける時間／周波数リソースの指示は、ＰＳＳＣＨ（データ）に関連するが、ＤＣＩとＰＳＳＣＨ（データ）との間のタイミングは、ＵＥがサブフレームｎにおいてＤＣＩを受信すると想定すると、４より大きいかまたは等しい最小整数である。
【００５４】
異なるサブフレームスケジューリングの場合、Ｖ２ＶのＳＣＩ／ＤＣＩにおける時間／周波数リソースの指示は、ＰＳＳＣＨ（データ）に関連するが、ＤＣＩとＰＳＳＣＨ（データ）との間のタイミングは、ＵＥがサブフレームｎにおいてＤＣＩを受信すると想定すると、Ｘより大きいかまたは等しい最小整数である。ここで、Ｘは４より大きく、たとえば６または８である。
【００５５】
ＰＳＣＣＨ（ＳＡ）および関連付けられたＰＳＳＣＨ（データ）は、固定された時間／周波数関係（ワンバイワンマッピング）を有することになる。
【００５６】
ＰＳＣＣＨ（ＳＡ）およびＰＳＳＣＨ（データ）の異なるサブフレームスケジューリングまたは同じサブフレームスケジューリングのいずれを構成するかは、リソースプール構成に依存する。
【００５７】
図８は、ＳＣＩ／ＤＣＩにおける時間／周波数リソースをどのように解釈するか、および、異なるサブフレームスケジューリングの場合、新しいタイミングとは何であるかを詳述する。すべての時間／周波数関係フィールドはＰＳＳＣＨ（データ）指示のために使用され、これは同じサブフレームスケジューリングと同じである。唯一の違いは、ＤＣＩとＰＳＳＣＨ（データ）との間のタイミングがｎ＋６またはｎ＋８に変更されていることであり、ＤＣＩがサブフレームｎにおいて受信されると想定すると、これはｎ＋４よりも大きい。
【００５８】
上記ソリューションの利点もシンプルであり、一般的なＤＣＩ／ＳＡ設計およびＤＣＩ／ＳＡサイズは増加しない。加えて、仕様変更は非常に小さい。
【００５９】
要約すると、本実施形態において、コントローラは、サブフレームスケジューリングモードが、制御チャネルおよびユーザ共有チャネルの同じサブフレームスケジューリングを示すとき、基地局ベースの送信モードである場合は、第１のノードによって受信されるＤＣＩを送信するダウンリンク制御チャネルと、ユーザ共有チャネルの初期送信のための開始タイミングとの間に、第１の固定されたタイミング関係が存在し、第１の固定されたタイミング関係はしきい値Ｘより大きいかまたは等しい最小整数であり、サブフレームスケジューリングモードが、制御チャネルおよびユーザ共有チャネルの異なるサブフレームスケジューリングを示すとき、基地局ベースの送信モードである場合は、第２のノードによって受信されるＤＣＩを送信するダウンリンク制御チャネルのタイミングと、ユーザ共有チャネルの初期送信のための開始タイミングとの間の、第２の固定されたタイミング関係を定義するように動作可能であり、第２の固定されたタイミング関係はしきい値Ｙより大きいかまたは等しい最小整数であって、ＹはＸより大きい。
【００６０】
別の実施形態は、図８に示されるような上記の実施形態と同様であり、受信されるＤＣＩとＰＳＳＣＨ（データ）との間に新しいタイミングも想定するが、時間／周波数フィールドの解釈はＤＣＩとＳＣＩとの間で異なる。以下、その詳細を説明するために表３および表４を示す。
【表３】
2019533351.tif 000005
【表４】
2019533351.tif 000006
【００６１】
上記ソリューションの利点もシンプルであり、一般的なＤＣＩ／ＳＡ設計およびＤＣＩ／ＳＡサイズは増加しない。
【００６２】
図９は、本発明の別の実施形態に係る、Ｖ２Ｖにおける異なるサブフレームスケジューリングを概略的に示す。
【００６３】
本実施形態において、コントローラは、サブフレームスケジューリングモードが、制御チャネルおよびユーザ共有チャネルの異なるサブフレームスケジューリングを示すとき、ＳＣＩの場合には、制御チャネルの送信のタイミングが選択または再選択決定のタイミングより早くならないことを保証するように動作可能である。
【００６４】
本実施形態は、感知についての何らかの考慮事項に関するものである。図９に示されるように、基本的に、同じサブフレームスケジューリングに使用される感知メカニズムは、異なるサブフレームスケジューリングに再使用可能である。しかし、ＵＥは、ＰＳＣＣＨ（ＳＡ）タイミングがリソースの（再）選択決定の時間よりも早くないことを保証すべきである。
【００６５】
したがって、本発明の実施形態を用いると、シグナリングサイズが最適化可能であり、ＤＣＩ／ＳＡ設計はシンプルおよび一般的であることが可能であり、ＤＣＩ／ＳＡサイズは増加せず、仕様変更は非常に小さいことが可能である。
【００６６】
図１０は、本発明の実施形態に係る、第１のノードにおける方法１０００のフローチャートを概略的に示す。
【００６７】
方法１０００は、第１のノードにおいて、送信器によって、制御チャネルおよび／またはユーザ共有チャネルを第２のノードへと送信する、ステップＳ１００１、ならびに、コントローラによって、サブフレームスケジューリングモードに従い、ユーザ共有チャネルの送信のための制御シグナリングにおける時間および／または周波数位置の指示に関して異なる解釈を行う、ステップＳ１００２の、ステップを含む。
【００６８】
一実施形態において、解釈を行うステップＳ１００２は、コントローラによって、基地局ベースの送信モードの場合、第１のノードがｅノードＢ（ｅＮＢ）もしくは任意の他の基地局であり、第２のノードがユーザ機器（ＵＥ）であり、または第１のノードが送信器ＵＥであり、第２のノードが受信器ＵＥであることを、さらに含み、解釈を行うステップＳ１００２は、コントローラによって、サブフレームスケジューリングモードが、制御チャネルおよびユーザ共有チャネルの同じサブフレームスケジューリングを示す場合、時間および／または周波数位置の指示をユーザ共有チャネルのための時間および／または周波数位置の指示として解釈することによって、送信器に、制御シグナリングにおけるユーザ共有チャネルの送信のための時間および／または周波数位置の指示を第２のノードへと送信させること、ならびに、サブフレームスケジューリングモードが、制御チャネルおよびユーザ共有チャネルの異なるサブフレームスケジューリングを示す場合、時間および／または周波数位置の指示を制御チャネルのための時間および／または周波数位置の指示として解釈することによって、送信器に、制御シグナリングにおけるユーザ共有チャネルの送信のための時間および／または周波数位置の指示を第２のノードへと送信させること、をさらに含む。
【００６９】
一実施形態において、ＵＥ自律送信モードの場合、第１のノードは送信器ＵＥであり、第２のノードは受信器ＵＥであり、解釈を行うステップＳ１００２は、コントローラによって、サブフレームスケジューリングモードが、制御チャネルおよびユーザ共有チャネルの同じサブフレームスケジューリングを示す場合、制御チャネルおよびユーザ共有チャネルを含むサイドリンクチャネルの送信のために、制御シグナリングにおける時間および／または周波数位置の指示を、サイドリンクのユーザ共有チャネルのための時間および／または周波数位置の指示として解釈すること、ならびに、サブフレームスケジューリングモードが、制御チャネルおよびユーザ共有チャネルの異なるサブフレームスケジューリングを示す場合、制御チャネルおよびユーザ共有チャネルを含むサイドリンクチャネルの送信のために、制御シグナリングにおける時間および／または周波数位置の指示を、サイドリンクの制御チャネルのための時間および／または周波数位置の指示として解釈することを、さらに含む。
【００７０】
一実施形態において、時間および／または周波数位置の指示は、トランスポートブロックまたは制御チャネルの初期送信のための開始タイミングと、トランスポートブロックまたは制御チャネルの初期送信のための周波数開始位置と、トランスポートブロックまたは制御チャネルの初期送信と再送信との間の時間ギャップと、トランスポートブロックまたは制御チャネルの初期送信と再送信との間の周波数オフセットと、トランスポートブロックの長さと、のうちの少なくとも１つを含み、第１のノードがｅノードＢ（ｅＮＢ）であり、第２のノードがユーザ機器（ＵＥ）である場合、ダウンリンク制御情報（ＤＣＩ）内でｅＮＢによって送信される時間および／または周波数位置の指示は、（２）、（３）、（４）、および（５）を含み、第１のノードが送信器ＵＥであり、第２のノードが受信器ＵＥである場合、サイドリンク制御情報（ＳＣＩ）内で送信器ＵＥによって送信される時間および／または周波数位置の指示は、（３）、（４）、および（５）を含む。
【００７１】
一実施形態において、解釈を行うステップＳ１００２は、コントローラによって、サイドリンクの制御チャネルの送信とユーザ共有チャネルの送信との間の固定された時間および／または周波数関係を定義することを、さらに含む。
【００７２】
一実施形態において、解釈を行うステップＳ１００２は、コントローラによって、サイドリンクのユーザ共有チャネルのための時間および／もしくは周波数位置の指示を第２のノードへと送信し、それにより、サイドリンクの制御チャネルのための時間および／もしくは周波数位置の指示が、固定された時間および／もしくは周波数関係に基づいて第２のノードによって決定可能となること、または、サイドリンクの制御チャネルのための時間および／もしくは周波数位置の指示を第２のノードへと送信し、それにより、サイドリンクのユーザ共有チャネルのための時間および／もしくは周波数位置の指示が、固定された時間および／もしくは周波数関係に基づいて第２のノードによって決定可能となることを、さらに含む。
【００７３】
一実施形態において、解釈を行うステップＳ１００２は、コントローラによって、サブフレームスケジューリングモードが、制御チャネルおよびユーザ共有チャネルの同じサブフレームスケジューリングを示すとき、基地局ベースの送信モードである場合は、第１のノードによって受信されるＤＣＩを送信するダウンリンク制御チャネルと、ユーザ共有チャネルの初期送信のための開始タイミングとの間に、第１の固定されたタイミング関係が存在し、第１の固定されたタイミング関係はしきい値Ｘより大きいかまたは等しい最小整数であり、サブフレームスケジューリングモードが、制御チャネルおよびユーザ共有チャネルの異なるサブフレームスケジューリングを示すとき、基地局ベースの送信モードである場合は、第２のノードによって受信されるＤＣＩを送信するダウンリンク制御チャネルのタイミングと、ユーザ共有チャネルの初期送信のための開始タイミングとの間の、第２の固定されたタイミング関係を定義することをさらに含み、第２の固定されたタイミング関係はしきい値Ｙより大きいかまたは等しい最小整数であって、ＹはＸより大きい。
【００７４】
一実施形態において、解釈を行うステップＳ１００２は、コントローラによって、サブフレームスケジューリングモードが、制御チャネルおよびユーザ共有チャネルの異なるサブフレームスケジューリングを示すとき、ＳＣＩの場合には、制御チャネルの送信のタイミングが選択または再選択決定のタイミングより早くならないことを保証することを、さらに含む。
【００７５】
一実施形態において、制御チャネルは、物理ダウンリンク制御チャネル（ＰＤＣＣＨ）、拡張物理ダウンリンク制御チャネル（ＥＰＤＣＣＨ）、および／または物理サイドリンク制御チャネル（ＰＳＣＣＨ）を含み、ユーザ共有チャネルは、物理ダウンリンク共有チャネル（ＰＤＳＣＨ）および／または物理サイドリンク共有チャネル（ＰＳＳＣＨ）を含み、制御シグナリングは、ダウンリンク制御情報（ＤＣＩ）および／またはサイドリンク制御情報（ＳＣＩ）を含む。
【００７６】
一実施形態において、制御チャネルおよびユーザ共有チャネルの同じサブフレームスケジューリングモードは、ユーザ共有チャネルまたは制御チャネルのリソースプール構成に基づき、リソースプールは、サイドリンク送信に使用可能な時間／周波数リソースからなり、制御チャネルおよびユーザ共有チャネルの同じサブフレームスケジューリングモードは、制御チャネルおよびユーザ共有チャネルのスケジューリングが、同じサブフレーム内でスケジューリングされることを示し、制御チャネルおよびユーザ共有チャネルまたは制御チャネルの異なるサブフレームスケジューリングモードは、制御チャネルおよびユーザ共有チャネルのスケジューリングが、同じサブフレーム内でスケジューリングされないことを示す。
【００７７】
したがって、本発明の実施形態を用いると、シグナリングサイズが最適化可能であり、ＤＣＩ／ＳＡ設計はシンプルおよび一般的であることが可能であり、ＤＣＩ／ＳＡサイズは増加せず、仕様変更は非常に小さいことが可能である。
【００７８】
図１１は、本発明の実施形態に係る、第１のノードにおけるシステム１１００のブロック図を概略的に示す。
【００７９】
システム１１００は、第１のノードにおいて、１つまたは複数のプロセッサ１１０１と、１つまたは複数のプロセッサによって実行されたときに、前述の方法を実行するためのコンピュータプログラムを記憶する、１つまたは複数のプロセッサと結合されたメモリ１１０２とを備える。本明細書では、方法のステップおよびステップに関する詳細な説明は省略する。
【００８０】
したがって、本発明の実施形態を用いると、シグナリングサイズが最適化可能であり、ＤＣＩ／ＳＡ設計はシンプルおよび一般的であることが可能であり、ＤＣＩ／ＳＡサイズは増加せず、仕様変更は非常に小さいことが可能である。
【００８１】
加えて、本開示の実施形態は、少なくとも下記の主題を提供可能である。
【００８２】
（１）装置は、第１のノードにおいて、制御チャネルおよび／またはユーザ共有チャネルを第２のノードへと送信するように動作可能な送信器と、サブフレームスケジューリングモードに従い、ユーザ共有チャネルの送信のための制御シグナリングにおける、時間および／または周波数位置の指示に関して異なる解釈を行うように動作可能な、コントローラと、を備える。
【００８３】
（２）（１）に従った装置であり、制御チャネルは、物理ダウンリンク制御チャネル（ＰＤＣＣＨ）、拡張物理ダウンリンク制御チャネル（ＥＰＤＣＣＨ）、および／または物理サイドリンク制御チャネル（ＰＳＣＣＨ）を含み、ユーザ共有チャネルは、物理ダウンリンク共有チャネル（ＰＤＳＣＨ）および／または物理サイドリンク共有チャネル（ＰＳＳＣＨ）を含み、制御シグナリングは、ダウンリンク制御情報（ＤＣＩ）および／またはサイドリンク制御情報（ＳＣＩ）を含む。
【００８４】
（３）（１）に従った装置であり、基地局ベースの送信モードの場合、第１のノードがｅノードＢ（ｅＮＢ）もしくは任意の他の基地局であり、第２のノードがユーザ機器（ＵＥ）であり、または第１のノードが送信器ＵＥであり、第２のノードが受信器ＵＥであり、コントローラは、サブフレームスケジューリングモードが、制御チャネルおよびユーザ共有チャネルの同じサブフレームスケジューリングを示す場合、時間および／または周波数位置の指示をユーザ共有チャネルのための時間および／または周波数位置の指示として解釈することによって、送信器に、制御シグナリングにおけるユーザ共有チャネルの送信のための時間および／または周波数位置の指示を第２のノードへと送信させるように動作可能であり、サブフレームスケジューリングモードが、制御チャネルおよびユーザ共有チャネルの異なるサブフレームスケジューリングを示す場合、時間および／または周波数位置の指示を制御チャネルのための時間および／または周波数位置の指示として解釈することによって、送信器に、制御シグナリングにおけるユーザ共有チャネルの送信のための時間および／または周波数位置の指示を第２のノードへと送信させるように動作可能である。
【００８５】
（４）（１）に従った装置であり、ＵＥ自律送信モードの場合に、第１のノードは送信器ＵＥであり、第２のノードは受信器ＵＥであり、コントローラは、サブフレームスケジューリングモードが、制御チャネルおよびユーザ共有チャネルの同じサブフレームスケジューリングを示す場合、制御チャネルおよびユーザ共有チャネルを含むサイドリンクチャネルの送信のために、制御シグナリングにおける時間および／または周波数位置の指示を、サイドリンクのユーザ共有チャネルのための時間および／または周波数位置の指示として解釈するように動作可能であり、サブフレームスケジューリングモードが、制御チャネルおよびユーザ共有チャネルの異なるサブフレームスケジューリングを示す場合、制御チャネルおよびユーザ共有チャネルを含むサイドリンクチャネルの送信のために、制御シグナリングにおける時間および／または周波数位置の指示を、サイドリンクの制御チャネルのための時間および／または周波数位置の指示として解釈するように動作可能である。
【００８６】
（５）（３）または（４）に従った装置であり、制御チャネルおよびユーザ共有チャネルの同じサブフレームスケジューリングモードは、ユーザ共有チャネルまたは制御チャネルのリソースプール構成に基づき、リソースプールは、サイドリンク送信に使用可能な時間／周波数リソースからなり、制御チャネルおよびユーザ共有チャネルの同じサブフレームスケジューリングモードは、制御チャネルおよびユーザ共有チャネルのスケジューリングが、同じサブフレーム内でスケジューリングされることを示し、制御チャネルおよびユーザ共有チャネルまたは制御チャネルの異なるサブフレームスケジューリングモードは、制御チャネルおよびユーザ共有チャネルのスケジューリングが、同じサブフレーム内でスケジューリングされないことを示す。
【００８７】
（６）（１）に従った装置であり、時間および／または周波数位置の指示は、トランスポートブロックまたは制御チャネルの初期送信のための開始タイミング、トランスポートブロックまたは制御チャネルの初期送信のための周波数開始位置、トランスポートブロックまたは制御チャネルの初期送信と再送信との間の時間ギャップ、トランスポートブロックまたは制御チャネルの初期送信と再送信との間の周波数オフセット、および、トランスポートブロックの長さ、のうちの少なくとも１つを含み、第１のノードがｅノードＢ（ｅＮＢ）であり、第２のノードがユーザ機器（ＵＥ）である場合、ダウンリンク制御情報（ＤＣＩ）内でｅＮＢによって送信される時間および／または周波数位置の指示は、（２）、（３）、（４）、および（５）を含み、第１のノードが送信器ＵＥであり、第２のノードが受信器ＵＥである場合、サイドリンク制御情報（ＳＣＩ）内で送信器ＵＥによって送信される時間および／または周波数位置の指示は、（３）、（４）、および（５）を含む。
【００８８】
（７）（６）に従った装置であり、コントローラは、サブフレームスケジューリングモードが、制御チャネルおよびユーザ共有チャネルの異なるサブフレームスケジューリングを示す場合、ダウンリンク制御情報（ＤＣＩ）／サイドリンク制御情報（ＳＣＩ）内の「初期送信と再送信との間の時間ギャップ」フィールドを、制御チャネルの初期送信と再送信との間の時間関係として解釈し、ＤＣＩ／ＳＣＩ内の「初期送信および再送信の周波数リソースロケーション」フィールドを、制御チャネルの再送信の周波数リソースロケーションおよびユーザ共有チャネルの長さとして解釈し、ＤＣＩ内に「初期送信に割り振られたサブチャネルの最低インデックス」が存在する場合、ＤＣＩ内の「初期送信に割り振られたサブチャネルの最低インデックス」を、制御チャネルの初期送信の周波数開始位置として解釈するように、動作可能である。
【００８９】
（７）（１）に従った装置であり、コントローラは、サイドリンクの制御チャネルの送信とユーザ共有チャネルの送信との間の固定された時間および／または周波数関係を定義するように、動作可能である。
【００９０】
（８）（７）に従った装置であり、送信器は、サイドリンクのユーザ共有チャネルのための時間および／もしくは周波数位置の指示を第２のノードへと送信するように動作可能であり、それにより、サイドリンクの制御チャネルのための時間および／もしくは周波数位置の指示は、固定された時間および／もしくは周波数関係に基づいて第２のノードによって決定可能であるか、または、サイドリンクの制御チャネルのための時間および／もしくは周波数位置の指示を第２のノードへと送信するように動作可能であり、それにより、サイドリンクのユーザ共有チャネルのための時間および／もしくは周波数位置の指示は、固定された時間および／もしくは周波数関係に基づいて第２のノードによって決定可能である。
【００９１】
（９）（１）に従った装置であり、コントローラは、サブフレームスケジューリングモードが、制御チャネルおよびユーザ共有チャネルの同じサブフレームスケジューリングを示すとき、基地局ベースの送信モードである場合は、第１のノードによって受信されるＤＣＩを送信するダウンリンク制御チャネルと、ユーザ共有チャネルの初期送信のための開始タイミングとの間に、第１の固定されたタイミング関係が存在し、第１の固定されたタイミング関係はしきい値Ｘより大きいかまたは等しい最小整数であり、サブフレームスケジューリングモードが、制御チャネルおよびユーザ共有チャネルの異なるサブフレームスケジューリングを示すとき、基地局ベースの送信モードである場合は、第２のノードによって受信されるＤＣＩを送信するダウンリンク制御チャネルのタイミングと、ユーザ共有チャネルの初期送信のための開始タイミングとの間の、第２の固定されたタイミング関係を定義するように動作可能であり、第２の固定されたタイミング関係はしきい値Ｙより大きいかまたは等しい最小整数であって、ＹはＸより大きい。
【００９２】
（１０）（１）に従った装置であり、コントローラは、サブフレームスケジューリングモードが、制御チャネルおよびユーザ共有チャネルの異なるサブフレームスケジューリングを示すとき、ＳＣＩの場合には、制御チャネルの送信のタイミングが選択または再選択決定のタイミングより早くならないことを保証するように動作可能である。
【００９３】
（１２）方法は、第１のノードにおいて、送信器によって、制御チャネルおよび／またはユーザ共有チャネルを第２のノードへと送信するステップと、コントローラによって、サブフレームスケジューリングモードに従い、ユーザ共有チャネルの送信のための制御シグナリングにおける時間および／または周波数位置の指示に関して異なる解釈を行うステップと、を含む。
【００９４】
（１３）（１２）に従った方法であり、解釈を行うステップは、コントローラによって、基地局ベースの送信モードの場合、第１のノードがｅノードＢ（ｅＮＢ）もしくは任意の他の基地局であり、第２のノードがユーザ機器（ＵＥ）であり、または第１のノードが送信器ＵＥであり、第２のノードが受信器ＵＥであることを、さらに含み、解釈を行うステップは、コントローラによって、サブフレームスケジューリングモードが、制御チャネルおよびユーザ共有チャネルの同じサブフレームスケジューリングを示す場合、時間および／または周波数位置の指示をユーザ共有チャネルのための時間および／または周波数位置の指示として解釈することによって、送信器に、制御シグナリングにおけるユーザ共有チャネルの送信のための時間および／または周波数位置の指示を第２のノードへと送信させること、ならびに、サブフレームスケジューリングモードが、制御チャネルおよびユーザ共有チャネルの異なるサブフレームスケジューリングを示す場合、時間および／または周波数位置の指示を制御チャネルのための時間および／または周波数位置の指示として解釈することによって、送信器に、制御シグナリングにおけるユーザ共有チャネルの送信のための時間および／または周波数位置の指示を第２のノードへと送信させること、をさらに含む。
【００９５】
（１４）（１２）に従った方法であり、ＵＥ自律送信モードの場合、第１のノードは送信器ＵＥであり、第２のノードは受信器ＵＥであり、解釈を行うステップは、コントローラによって、サブフレームスケジューリングモードが、制御チャネルおよびユーザ共有チャネルの同じサブフレームスケジューリングを示す場合、制御チャネルおよびユーザ共有チャネルを含むサイドリンクチャネルの送信のために、制御シグナリングにおける時間および／または周波数位置の指示を、サイドリンクのユーザ共有チャネルのための時間および／または周波数位置の指示として解釈すること、ならびに、サブフレームスケジューリングモードが、制御チャネルおよびユーザ共有チャネルの異なるサブフレームスケジューリングを示す場合、制御チャネルおよびユーザ共有チャネルを含むサイドリンクチャネルの送信のために、制御シグナリングにおける時間および／または周波数位置の指示を、サイドリンクの制御チャネルのための時間および／または周波数位置の指示として解釈すること、をさらに含む。
【００９６】
（１５）（１２）に従った方法であり、時間および／または周波数位置の指示は、トランスポートブロックまたは制御チャネルの初期送信のための開始タイミング、トランスポートブロックまたは制御チャネルの初期送信のための周波数開始位置、トランスポートブロックまたは制御チャネルの初期送信と再送信との間の時間ギャップ、トランスポートブロックまたは制御チャネルの初期送信と再送信との間の周波数オフセット、および、トランスポートブロックの長さ、のうちの少なくとも１つを含み、第１のノードがｅノードＢ（ｅＮＢ）であり、第２のノードがユーザ機器（ＵＥ）である場合、ダウンリンク制御情報（ＤＣＩ）内でｅＮＢによって送信される時間および／または周波数位置の指示は、（２）、（３）、（４）、および（５）を含み、第１のノードが送信器ＵＥであり、第２のノードが受信器ＵＥである場合、サイドリンク制御情報（ＳＣＩ）内で送信器ＵＥによって送信される時間および／または周波数位置の指示は、（３）、（４）、および（５）を含む。
【００９７】
（１６）（１２）に従った方法であり、解釈を行うステップは、コントローラによって、サイドリンクの制御チャネルの送信とユーザ共有チャネルの送信との間の固定された時間および／または周波数関係を定義すること、をさらに含む。
【００９８】
（１７）（１６）に従った方法であり、解釈を行うステップは、コントローラによって、サイドリンクのユーザ共有チャネルのための時間および／もしくは周波数位置の指示を第２のノードへと送信し、それにより、サイドリンクの制御チャネルのための時間および／もしくは周波数位置の指示が、固定された時間および／もしくは周波数関係に基づいて第２のノードによって決定可能となること、または、サイドリンクの制御チャネルのための時間および／もしくは周波数位置の指示を第２のノードへと送信し、それにより、サイドリンクのユーザ共有チャネルのための時間および／もしくは周波数位置の指示が、固定された時間および／もしくは周波数関係に基づいて第２のノードによって決定可能となること、をさらに含む。
【００９９】
（１８）（１２）に従った方法であり、解釈を行うステップは、コントローラによって、サブフレームスケジューリングモードが、制御チャネルおよびユーザ共有チャネルの同じサブフレームスケジューリングを示すとき、基地局ベースの送信モードである場合は、第１のノードによって受信されるＤＣＩを送信するダウンリンク制御チャネルと、ユーザ共有チャネルの初期送信のための開始タイミングとの間に、第１の固定されたタイミング関係が存在し、第１の固定されたタイミング関係はしきい値Ｘより大きいかまたは等しい最小整数であり、サブフレームスケジューリングモードが、制御チャネルおよびユーザ共有チャネルの異なるサブフレームスケジューリングを示すとき、基地局ベースの送信モードである場合は、第２のノードによって受信されるＤＣＩを送信するダウンリンク制御チャネルのタイミングと、ユーザ共有チャネルの初期送信のための開始タイミングとの間の、第２の固定されたタイミング関係を定義すること、をさらに含み、第２の固定されたタイミング関係はしきい値Ｙより大きいかまたは等しい最小整数であって、ＹはＸより大きい。
【０１００】
（１９）（１２）に従った方法であり、解釈を行うステップは、コントローラによって、サブフレームスケジューリングモードが、制御チャネルおよびユーザ共有チャネルの異なるサブフレームスケジューリングを示すとき、ＳＣＩの場合には、制御チャネルの送信のタイミングが選択または再選択決定のタイミングより早くならないことを保証すること、をさらに含む。
【０１０１】
（２０）（１２）に従った方法であり、制御チャネルは、物理ダウンリンク制御チャネル（ＰＤＣＣＨ）、拡張物理ダウンリンク制御チャネル（ＥＰＤＣＣＨ）、および／または物理サイドリンク制御チャネル（ＰＳＣＣＨ）を含み、ユーザ共有チャネルは、物理ダウンリンク共有チャネル（ＰＤＳＣＨ）および／または物理サイドリンク共有チャネル（ＰＳＳＣＨ）を含み、制御シグナリングは、ダウンリンク制御情報（ＤＣＩ）および／またはサイドリンク制御情報（ＳＣＩ）を含む。
【０１０２】
（２１）（１３）または（１４）に従った方法であり、制御チャネルおよびユーザ共有チャネルの同じサブフレームスケジューリングモードは、ユーザ共有チャネルまたは制御チャネルのリソースプール構成に基づき、リソースプールは、サイドリンク送信に使用可能な時間／周波数リソースからなり、制御チャネルおよびユーザ共有チャネルの同じサブフレームスケジューリングモードは、制御チャネルおよびユーザ共有チャネルのスケジューリングが、同じサブフレーム内でスケジューリングされることを示し、制御チャネルおよびユーザ共有チャネルまたは制御チャネルの異なるサブフレームスケジューリングモードは、制御チャネルおよびユーザ共有チャネルのスケジューリングが、同じサブフレーム内でスケジューリングされないことを示す。
【０１０３】
（２２）システムは、第１のノードにおいて、１つまたは複数のプロセッサと、１つまたは複数のプロセッサによって実行されたときに、（１２）〜（１９）のうちのいずれか一項に記載された方法を実行するためのコンピュータプログラムを記憶する、１つまたは複数のプロセッサと結合されたメモリと、を備える。
【０１０４】
本開示は、ソフトウェア、ハードウェア、またはソフトウェアとハードウェアの協働によって実現可能である。前述の各実施形態の説明で使用される各機能ブロックは、ＬＳＩによって集積回路として実現可能であり、各実施形態において説明する各プロセスは、ＬＳＩによって制御され得る。それらはチップとして個別に形成され得るか、または１つのチップが機能ブロックの一部もしくはすべてを含むように形成され得る。それらは、結合されたデータ入力および出力を含み得る。ここでＬＳＩは、集積度合の差に応じて、ＩＣ、システムＬＳＩ、超ＬＳＩ、または極超ＬＳＩと呼ばれ得る。しかしながら、集積回路の実装技法はＬＳＩに限定されず、専用回路または汎用プロセッサを使用して実現され得る。加えて、ＬＳＩ、またはＬＳＩ内部に配設された回路セルの接続および設定が再構成可能な再構成可能プロセッサの、製造後にプログラミング可能なＦＰＧＡ（フィールドプログラマブルゲートアレイ）が使用可能である。
【０１０５】
以上、本開示のいくつかの実施形態の例を、特定の実施形態の添付の図面を参照しながら詳細に説明してきた。もちろん、構成要素または技法の想像できるあらゆる組み合わせを説明することはできないが、当業者であれば、本開示の範囲を逸脱することなく、上記の実施形態に様々な修正が可能であることを理解されよう。たとえば、上記の実施形態は、３ＧＰＰネットワークの一部を参照しながら説明しているが、本開示の実施形態は、同様の機能構成要素を有する３ＧＰＰネットワークの後継などの、同様のネットワークにも適用可能であることを容易に理解されよう。
【０１０６】
したがって、特に、上記の説明および同封の図面ならびに任意の添付の特許請求の範囲で使用される３ＧＰＰという用語および関連または関係する用語は、現在または将来にわたり、状況に応じて解釈されるものとする。
【０１０７】
本開示は、ソフトウェア、ハードウェア、またはソフトウェアとハードウェアの協働によって実現可能である。前述の各実施形態の説明で使用される各機能ブロックは、ＬＳＩによって集積回路として実現可能であり、各実施形態において説明する各プロセスは、ＬＳＩによって制御され得る。それらはチップとして個別に形成され得るか、または１つのチップが機能ブロックの一部もしくはすべてを含むように形成され得る。それらは、結合されたデータ入力および出力を含み得る。ここでＬＳＩは、集積度合の差に応じて、ＩＣ、システムＬＳＩ、超ＬＳＩ、または極超ＬＳＩと呼ばれ得る。しかしながら、集積回路の実装技法はＬＳＩに限定されず、専用回路または汎用プロセッサを使用して実現され得る。加えて、ＬＳＩ、またはＬＳＩ内部に配設された回路セルの接続および設定が再構成可能な再構成可能プロセッサの、製造後にプログラミング可能なＦＰＧＡ（フィールドプログラマブルゲートアレイ）が使用可能である。
【０１０８】
特に、前述の説明および関連付けられた図面内に提示された教示の恩恵を受ける当業者であれば、開示された開示の修正および他の実施形態を思いつくであろう。したがって、本開示は開示された特定の実施形態に限定されるものではないこと、および、修正および他の実施形態が本開示の範囲内に含まれることが意図されていることを理解されよう。本明細書では特定の用語が使用されているが、それらは包括的かつ説明の意味でのみ使用されており、制限の目的では使用されていない。
【図１】
2019533351.tif 000007
【図２】
2019533351.tif 000008
【図３】
2019533351.tif 000009
【図４Ａ】
2019533351.tif 000010
【図４Ｂ】
2019533351.tif 000011
【図５】
2019533351.tif 000012
【図６】
2019533351.tif 000013
【図７】
2019533351.tif 000014
【図８】
2019533351.tif 000015
【図９】
2019533351.tif 000016
【図１０】
2019533351.tif 000017
【図１１】
2019533351.tif 000018
【国際調査報告】
2019533351.tif 000019
2019533351.tif 000020